(57)【特許請求の範囲】
【請求項１】
変圧器の上蓋のスカート部に取付けられ前記変圧器を吊上げる吊ロープが前記スカート部に直接接触して傷つけるのを防止する弾性樹脂製の保護具であって、
前記変圧器の吊り手の上方の前記スカート部を覆う側板部と、
該側板部と鋭角を成して屈曲し前記スカート部の下辺を抱え込む下板部と、
前記側板部と鋭角を成して前記下板部と同一方向に屈曲し前記上蓋の天板に当接して前記下板部との間に前記スカート部を挟み込む上板部と、
を備えることを特徴とする保護具。
【請求項２】
前記上板部が、中間部で前記上蓋の天板に当接するように、先端部を上方へ向けるように湾曲していることを特徴とする請求項１に記載の保護具。
【請求項３】
前記上板部の幅方向中央部が、切欠かれていることを特徴とする請求項１又は２に記載の保護具。
【請求項４】
前記側板部には、間に前記吊ロープを挟んでガイドする２本の突条が設けられていることを特徴とする請求項１〜３のいずれか一つに記載の保護具。
【請求項５】
前記側板部の幅方向中央下部には、前記吊り手を挟むように下方へ延びる二股脚部材が固着されていることを特徴とする請求項１〜４のいずれか一つに記載の保護具。
【発明の詳細な説明】
【技術分野】
【０００１】
本発明は、変圧器をワイヤロープ（吊ロープ）で吊上げて運搬するときに、ワイヤロープが変圧器のカバー（上蓋)に接触して塗装を傷つけるのを防止する保護具に関するものである。
【背景技術】
【０００２】
従来、変圧器をワイヤロープで吊上げて運搬するときには、変圧器ケースの上側部に設けられた吊り手に掛けたワイヤロープが、変圧器の上蓋のスカート部に接触して塗装を傷つけるのを防止するために、スカート部のワイヤロープ接触箇所に樹脂製の保護板を貼付していた。
【発明の開示】
【発明が解決しようとする課題】
【０００３】
しかしながら、上記従来の技術によれば、ワイヤロープの摩擦力で保護板がずれてしまうことがあった。そのため、結局、ワイヤロープで塗装を傷つけてしまう、という問題があった。また、変圧器の運搬、設置後に貼付した保護板を取外すと、接着していたため貼付面が汚いという問題があり、保護板を貼付したままにしておくと、粉塵等が溜まり易く、また、日光や熱等で保護板が劣化変色する、という問題があった。
【０００４】
本発明は、上記に鑑みてなされたものであって、吊ロープで上蓋のスカート部の塗装を傷つけることがなく、変圧器の運搬、設置後は、容易に取外すことができる弾性樹脂製の保護具を得ることを目的とする。
【課題を解決するための手段】
【０００５】
上述した課題を解決し、目的を達成するために、本発明は、変圧器の上蓋のスカート部に取付けられ前記変圧器を吊上げる吊ロープが前記スカート部に直接接触して傷つけるのを防止する弾性樹脂製の保護具であって、前記変圧器の吊り手の上方の前記スカート部を覆う側板部と、該側板部と鋭角を成して屈曲し前記スカート部の下辺を抱え込む下板部と、前記側板部と鋭角を成して前記下板部と同一方向に屈曲し前記上蓋の天板に当接して前記下板部との間に前記スカート部を挟み込む上板部と、を備えることを特徴とする。
【発明の効果】
【０００６】
この発明によれば、吊ロープで上蓋のスカート部の塗装を傷つけることなく変圧器の運搬ができ、変圧器の設置後は容易に取外すことができ、メーカー側で回収し、繰り返し使用することができる保護具が得られる、という効果を奏する。
【発明を実施するための最良の形態】
【０００７】
以下に、本発明にかかる保護具の実施の形態を図面に基づいて詳細に説明する。なお、この実施の形態によりこの発明が限定されるものではない。
【０００８】
実施の形態１．
図１は、本発明にかかる保護具の実施の形態１を示す正面図であり、図２は、実施の形態１の保護具の上面図であり、図３は、実施の形態１の保護具の側面図であり、図４は、実施の形態１の保護具を変圧器の上蓋に取付けた状態を示す縦断面図であり、図５は、実施の形態１の保護具を上蓋のスカート部に取付け吊り手に吊ロープを掛けて変圧器を吊った状態を示す側面図であり、図６はその正面図であり、図７は図５のＡ部拡大図であり、図８は、図６のＢ−Ｂ線に沿う矢視図である。
【０００９】
図１〜図８に示すように、実施の形態１の弾性樹脂製の保護具１１は、変圧器２０の上蓋２２の折曲げスカート部２２ａに取付けられ、変圧器２０を吊上げる吊りロープ３０が、スカート部２２ａに直接接触して、塗装等を傷つけるのを防止する。
【００１０】
実施の形態１の保護具１１は、変圧器ケース２３の上側部に設けられた吊り手２４の上方に位置する上蓋２２の折曲げスカート部２２ａを側方から覆う側板部１１ａと、側板部１１ａから略直角に屈曲し上蓋２２の天板２２ｂを覆う上板部１１ｃと、を備えている。
【００１１】
また、保護具１１は、側板部１１ａに設けられ、スカート部２２ａの嵌合孔２２ｃに挿し込まれる円柱状の胴部１１ｆと、基部の径が胴部１１ｆの径より大きい円錐状の係止頭部１１ｇと、を有し、係止頭部１１ｇ及び胴部１１ｆを２つに分離するスリット１１ｈが形成された係止突起１１ｂを備えている。
【００１２】
保護具１１の側板部１１ａは、係止突起１１ｂを、上蓋２２の折曲げスカート部２２ａに設けられた円形の嵌合孔２２ｃに挿入することにより、上蓋２２に取付けられる。係止突起１１ｂは、先端に、基部の径が胴部１１ｆの径より大きい円錐状の係止頭部１１ｇを有し、係止頭部１１ｇ及び胴部１１ｆを２つに分離するスリット１１ｈが形成されているので、スカート部２２ａに設けられた円形の嵌合孔２２ｃへの挿入が容易である。
【００１３】
また、係止頭部１１ｇの基部の径が胴部１１ｆの径よりも少し大きいので、上蓋２２から脱落することはない。さらに、係止突起１１ｂを、上蓋２２のスカート部２２ａに設けられた円形の嵌合孔２２ｃに挿入することにより、保護具１１が、吊り手２４から左右、上下にずれるのを防止することができる。
【００１４】
係止突起１１ｂを、嵌合孔２２ｃに挿入したときに、上板部１１ｃと上蓋２２の天板２２ｂとの間に若干の隙間があくように係止突起１１ｂを側板部１１ａに配置し、保護具１１を上蓋２２へ取付ける際に、天板２２ｂの塗装面に傷がつかないようにしている。
【００１５】
上板部１０ｃの幅方向中央部には、切欠き部１１ｄが形成されている。切欠き部１１ｄは、変圧器２０を吊上げたときに、吊ロープ３０により保護具１１が天板２２ｂに押圧されるのを防ぐとともに、ボルトの頭などの構造部材を避ける形状としている。なお、実施の形態１では、係止突起１１ｂを１本だけ設けたが、複数本設けてもよい。
【００１６】
以上説明したように、実施の形態１の保護具１１は、変圧器２０の上蓋２２のスカート部２２ａに取付けられ変圧器２０を吊上げる吊ロープ３０がスカート部２２ａに直接接触して傷つけるのを防止する弾性樹脂製の保護具１１であって、変圧器２０の吊り手２４の上方のスカート部２２ａを覆う側板部１１ａと、側板部１１ａから略直角に屈曲し上蓋２２の天板２２ｂを覆う上板部１１ｃと、側板部１１ａに設けられ、スカート部２２ａの嵌合孔２２ｃに挿し込まれる円柱状の胴部１１ｆと、基部径が胴部１１ｆの径より大きい円錐状の係止頭部１１ｇと、を有し、係止頭部１１ｇ及び胴部１１ｆを２つに分離するスリット１１ｈが形成された係止突起１１ｂと、を備えるので、吊ロープ３０で上蓋２２のスカート部２２ａの塗装を傷つけることなく変圧器２０を運搬することができ、変圧器２０の設置後は容易に取外すことができ、メーカー側で回収し、繰り返し使用することができる。
【００１７】
実施の形態２．
図９は、本発明にかかる保護具の実施の形態２を示す正面図であり、図１０は、実施の形態２の保護具の上面図であり、図１１は、実施の形態２の保護具の側面図であり、図１２は、実施の形態２の保護具を上蓋のスカート部に取付け吊り手に吊ロープを掛けて変圧器を吊った状態を示す要部側面図であり、図１３は、その要部上面図である。
【００１８】
図９〜図１３に示すように、実施の形態２の弾性樹脂製の保護具１０は、変圧器２０の上蓋２２のスカート部２２ａに取付けられ、変圧器２０を吊上げる吊ロープ３０が、スカート部２２ａに直接接触して、塗装等を傷つけるのを防止する。
【００１９】
保護具１０は、変圧器２０の上側部に設けられた吊り手２４の上方のスカート部２２ａを側方から覆う側板部１０ａと、側板部１０ａと鋭角を成すように、側板部１０ａから屈曲し、スカート部２２ａの下辺を抱え込む下板部１０ｂと、側板部１０ａと鋭角を成すように、下板部１０ｂの屈曲方向と同一方向に屈曲し、上蓋２２の天板２２ｂに当接して下板部１０ｂとの間にスカート部２２ａを挟み込む上板部１０ｃと、を備えている。
【００２０】
上板部１０ｃは、中間部で上蓋２２の天板２２ｂに当接するように、先端部を上方へ向けるように湾曲している。上板部１０ｃは、エッジを形成している先端部ではなく、中間部の腹部で天板２２ｂに当接するので、上板部１０ｃの当接により天板２２ｂが傷つくことはない。また、先端部が上方へ湾曲しているので、先端部の内側に手の指等を挿入しやすく、上蓋２２への取付け、取外しが容易である。
【００２１】
上板部１０ｃの幅方向中央部は、切欠かれていて、切欠き部１０ｄが形成されている。上板部１０ｃが切欠かれていて、上板部１０ｃの幅が狭くなっているので、スカート部２２ａを挟み込む上板部１０ｃのバネ力が、取付け、取外しがし易い適切なバネ力となっている。また、側板部１０ａの上部の屈曲部まで切欠くことにより、側板部１０ａの上部が吊ロープにより内側に押圧されて下板部１０ｂがスカート部２２ａから外れることはない。
【００２２】
側板部１０ａには、間に吊ロープ３０を挟んで吊ロープ３０をガイドする２本の突条１０ｅ、１０ｅが設けられている。２本の突条１０ｅ、１０ｅは、吊ロープ３０が、保護具１０から外れないように、また、保護具１０の中央部が、吊ロープ３０の位置に位置するように、お互いをガイドする。
【００２３】
以上説明したように、実施の形態２の保護具１０は、変圧器２０の上蓋２２のスカート部２２ａに取付けられ、変圧器２０を吊上げる吊ロープ３０がスカート部２２ａに直接接触して傷つけるのを防止する弾性金属板製の保護具１０であって、変圧器２０の吊り手２４の上方のスカート部２２ａを覆う側板部１０ａと、側板部１０ａと鋭角を成して屈曲しスカート部２２ａの下辺を抱え込む下板部１０ｂと、側板部１０ａと鋭角を成して下板部１０ｂと同一方向に屈曲し上蓋２２の天板２２ｂに当接して下板部１０ｂとの間にスカート部２２ａを挟み込む上板部１０ｃと、を備えるので、吊ロープ３０で上蓋２２のスカート部２２ａの塗装を傷つけずに変圧器２０を運搬することができ、変圧器２０の設置後は容易に取外すことができ、メーカー側で回収し、繰り返し使用することができる。
【００２４】
また、実施の形態１においては、上蓋２２の折曲げスカート部２２ａに、保護具１１の係止突起１１ｂを挿入するための嵌合孔２２ｃを設ける必要があるが、実施の形態２の保護具１０は、上蓋２２の折曲げスカート部２２ａに孔を設ける必要がなく、簡便に取付けることができる。
【００２５】
実施の形態３．
図１４は、本発明にかかる保護具の実施の形態３を示す正面図であり、図１５は、実施の形態３の保護具の側面図である。
【００２６】
図１４及び図１５に示すように、実施の形態３の保護具１２は、側板部１２ａの幅方向中央下部に、変圧器２０の吊り手２４を挟むように下方へ延びる二股脚部材１２ｆ、１２ｆが固着されている。二股脚部材１２ｆ、１２ｆ間に、吊り手２４を挟むようにして、保護具１２を上蓋２２のスカート部２２ａに取付ければ、吊ロープ３０が、側板部１２ａの中央部に当たり、吊ロープ３０がスカート部２２ａを傷つけることはない。
【００２７】
実施の形態３の保護具１２は、二股脚部材１２ｆ、１２ｆを固着したこと以外は、実施の形態２の保護具１０と同様に形成されており、詳細な説明は省略する。
【産業上の利用可能性】
【００２８】
以上のように、本発明にかかる保護具１１、１０、１２は、変圧器２０の吊上げ、運搬に有用である。
【図面の簡単な説明】
【００２９】
【図１】本発明にかかる保護具の実施の形態１を示す正面図である。
【図２】実施の形態１の保護具の上面図である。
【図３】実施の形態１の保護具の側面図である。
【図４】実施の形態１の保護具を変圧器の上蓋に取付けた状態を示す縦断面図である。
【図５】実施の形態１の保護具を上蓋のスカート部に取付け吊り手に吊ロープを掛けて変圧器を吊った状態を示す側面図である。
【図６】実施の形態１の保護具を上蓋のスカート部に取付け吊り手に吊ロープを掛けて変圧器を吊った状態を示す正面図である。
【図７】図５のＡ部拡大図である。
【図８】図６のＢ−Ｂ線に沿う矢視図である。
【図９】本発明にかかる保護具の実施の形態２を示す正面図である。
【図１０】実施の形態２の保護具の上面図である。
【図１１】実施の形態２の保護具の側面図である。
【図１２】実施の形態２の保護具を上蓋のスカート部に取付け吊り手に吊ロープを掛けて変圧器を吊った状態を示す要部側面図である。
【図１３】実施の形態２の保護具を上蓋のスカート部に取付け吊り手に吊ロープを掛けて変圧器を吊った状態を示す要部上面図である。
【図１４】本発明にかかる保護具の実施の形態３を示す正面図である。
【図１５】実施の形態３の保護具の側面図である。
【符号の説明】
【００３０】
１０，１１，１２  保護具
１０ａ，１１ａ，１２ａ  側板部
１０ｂ，１２ｂ  下板部
１１ｂ  係止突起
１１ｆ  胴部
１１ｇ  係止頭部
１１ｈ  スリット
１０ｃ，１１ｃ，１２ｃ  上板部
１０ｄ，１１ｄ  切欠き部
１０ｅ，１２ｅ  突条
１２ｆ  二股脚部
２０  変圧器
２２  上蓋
２２ａ  スカート部
２２ｂ  天板
２２ｃ  嵌合孔
２３  変圧器ケース
２４  吊り手
３０  ワイヤロープ（吊ロープ）
【図１】
0005142774.tif 000002
【図２】
0005142774.tif 000003
【図３】
0005142774.tif 000004
【図４】
0005142774.tif 000005
【図５】
0005142774.tif 000006
【図６】
0005142774.tif 000007
【図７】
0005142774.tif 000008
【図８】
0005142774.tif 000009
【図９】
0005142774.tif 000010
【図１０】
0005142774.tif 000011
【図１１】
0005142774.tif 000012
【図１２】
0005142774.tif 000013
【図１３】
0005142774.tif 000014
【図１４】
0005142774.tif 000015
【図１５】
0005142774.tif 000016